(57)【要約】      （修正有）【課題】容易に梁部材同士を真っ直ぐに横並びさせることができる橋梁用の手摺又は防護柵を提供する。【解決手段】所定の間隔で立設した支柱２Ａ、２Ｂと、当該支柱２Ａ、２Ｂ同士を連結する梁部材３ａを有する橋梁用の手摺であって、梁部材３ａは筒状であり、梁部材３ａの内部に配置される内筒部材を有し、内筒部材が、隣接する梁部材３ａの双方の内部に配置されて両梁部材３ａが連結されており、支柱２Ａ、２Ｂには、鉛直方向に延びる長孔８ａ、９ａが設けられており、長孔８ａ、９ａに挿通されて支柱２Ａ、２Ｂと係合すると共に、内筒部材と螺合するボルト６ａ、７ａを有する。【選択図】図５
2019044346.tif 000002
【特許請求の範囲】
【請求項１】
所定の間隔で立設した支柱と、当該支柱同士を連結する梁部材とを有する橋梁用の手摺又は防護柵であって、
前記梁部材は筒状であり、梁部材の内部に配置される内部固定部材を有し、
前記内部固定部材が、隣接する梁部材の双方の内部に配置されて両梁部材が連結されており、
前記支柱には、鉛直方向に延びる長孔又はスリットが設けられており、
前記長孔又はスリットに挿通されて支柱と係合すると共に、前記内部固定部材と螺合するねじ部材を有することを特徴とする橋梁用の手摺又は防護柵。
【請求項２】
前記内部固定部材が円筒状であることを特徴とする請求項１に記載の橋梁用の手摺又は防護柵。
【請求項３】
前記長孔又はスリットが、起立した支柱の同じ高さ位置に水平方向に間隔をおいて設けられており、
隣接する各梁部材の端部が、それぞれ支柱の前記各長孔又は各スリットに位置合わせされてねじ部材で支柱に固定されていることを特徴とする請求項１又は２に記載の橋梁用の手摺又は防護柵。
【発明の詳細な説明】
【技術分野】
【０００１】
本発明は、橋梁用の手摺又は防護柵に関するものである。
【背景技術】
【０００２】
一般に、道路や橋梁等に設置される手摺は、鉛直姿勢の支柱に対して水平姿勢の梁部材が一体化された構造を備えている。この手摺は、全てが現場で組み立てられる場合は少なく、予め工場である一定の大きさのユニットが製造され、各ユニットが現場に搬送されて設置されている。この様にすることによって、手摺の設置作業の効率化が図られている。
【０００３】
具体的には、図９（ｂ）に示す様な所定の間隔を隔てて平行に配置した二つの支柱７１ａ、７１ｂの間に、複数（例えば三つ）の梁部材７２ａ〜７２ｃを配置し、梁部材７２ａ〜７２ｃの両端を支柱７１ａ、７１ｂに固定し、これらを一つのユニット７０ａとする。この様なユニット７０ａ〜７０ｃを複数製造し、設置現場ではこれらのユニット７０ａ〜７０ｃを設置し、梁部材７３ａ〜７３ｃでユニット７０ａ〜７０ｃ同士をつなぐことにより図９（ａ）に示す手摺７５を完成し、手摺７５の設置作業の効率化が図られている。すなわち、ユニット７０ａ〜７０ｃを構成する支柱７１ａ、７１ｂと梁部材７２ａ〜７２ｃの組み立てが、工場で予め為されており、設置場所での作業の簡略化が図られている。
ここで、支柱７１ａ、７１ｂと梁部材７２ａ〜７２ｃは、溶接やねじ止め等によって一体固着されており、支柱７１ａ、７１ｂに対して梁部材７２ａ〜７２ｃは相対移動不能である。
【０００４】
また、ユニット７０ａ〜７０ｃを構成する梁部材７２ａ〜７２ｃと、ユニット７０ａ〜７０ｃ同士を接続する梁部材７３ａ〜７３ｃは、一般に水平方向に一直線に並んだ状態となる様に設計されている。すなわち、この場合には、梁部材７２ａ〜７２ｃと梁部材７３ａ〜７３ｃによって、高さ方向に所定の距離離間した三本の直線が形成される。各梁部材７２ａ〜７２ｃ及び７３ａ〜７３ｃは、真っ直ぐに延びた直線を描いており、美観が良好である。
【０００５】
ところが、図１０に示す様に、手摺７５を不陸（凹凸）のある設置面７６に設置する場合、ユニット７０ａ〜７０ｃの左右の各支柱７１ａ、７１ｂの高さが相違したり、各ユニット７０ａ〜７０ｃの設置高さが相違してしまう。
【０００６】
まず、単一のユニット７０ａを見た場合、設置面７６における左右の各支柱７１ａ、７１ｂの設置される位置の高さが相違すると、当該ユニット７０ａが傾斜する。その結果、当該ユニット７０ａ内の梁部材７２ａ〜７２ｃのいずれか一方側の端部が高くなり、他方側の端部が低くなるため、梁部材７２ａ〜７２ｃは水平方向に対して傾斜した姿勢となる。
ここで、梁部材７２ａ〜７２ｃと支柱７１ａ、７１ｂは、工場で一体固着されており、支柱７１ａ、７１ｂに対する梁部材７２ａ〜７２ｃの取付け位置を微調整することはできない。そのため、このままでは水平方向に対して傾斜した梁部材７２ａ〜７２ｃの姿勢を水平方向に調整することはできない。
また、設置面７６における、各ユニット７０ａ〜７０ｃの設置される位置の高さが相違する場合、隣接するユニット７０ａと７０ｂ（又は、７０ｂと７０ｃ）同士を接続する梁部材７３ａ〜７３ｂのいずれか一方側の端部が高くなり、他方側の端部が低くなるため、梁部材７３ａ〜７３ｃは水平方向に対して傾斜した姿勢となる。
その結果、梁部材７２ａ〜７２ｃ、７３ａ〜７３ｃは、水平方向に一直線上に並ばず、波打った様な屈曲線を形成してしまい、見栄えが悪くなり、美観が損なわれてしまう。
【０００７】
そこで、各支柱７１ａ、７１ｂの高さが揃う様に調整すると、ユニット７０ａ（７０ｂ、７０ｃ）が傾斜しないようすることができる。特許文献１には、支柱の高さ位置を調整する構造が開示されている。
【０００８】
特許文献１の手摺用支柱の取付構造では、図１１に示す様に、手摺８０を設置する部位には梁８８（横梁）が設けられており、手摺８０は、この梁８８の側面８８ａに取り付けられている。手摺８０は、支柱８１、ベースプレート８２、桟８３ａ、８３ｂを有し、支柱８１同士が桟８３ａ、８３ｂで一体化されている。また、支柱８１の下部にベースプレート８２が設けられている。このベースプレート８２が、梁８８の側面８８ａに固定されている。そのため、梁８８の側面８８ａに対するベースプレート８２の取付け高さを調整することにより、支柱８１の高さを調整し、手摺８０（桟８３ａ、８３ｂ）を傾斜させず、手摺８０の桟８３ａ、８３ｂの水平姿勢を保つことができる。
【先行技術文献】
【特許文献】
【０００９】
【特許文献１】特許第４７７２５６６号公報
【発明の概要】
【発明が解決しようとする課題】
【００１０】
ところで、特許文献１では、梁８８の側面８８ａに支柱８１を取り付けるベースプレート８２が固定されている。そのため、支柱８１の高さ調整は、ベースプレート８２の高さを変更することによって容易に行うことができる。しかし、梁８８の側面８８ａに手摺８０を固定するためには、手摺８０を設置するための専用の足場を組む必要があり、特に既設の橋梁等の設備に、特許文献１に記載されている様な手摺８０を取り付けるのは現実的ではない。そして、手摺８０の支柱８１は、図１１における設置面８７（上面）に固定される場合が多い。
【００１１】
そこで、従来は、図１２に示される様に、凹凸がある設置面７６に手摺７５を設置する場合には、ライナープレート７７で支柱７１ａ、７１ｂの設置高さを調整する。すなわち、使用するライナープレート７７の数の多寡によって、各支柱７１ａ、７１ｂの高さを調整する。具体的には、ユニット７０ａにおける低い設置位置にある支柱７１ａは比較的多いライナープレート７７で嵩上げし、高い設置位置にある支柱７１ｂは比較的少ないライナープレート７７で嵩上げする。
また、ユニット７０ａ、７０ｂ、７０ｃの高さを揃えるために、最も高いユニット７０ｂは、低い側の支柱のみを嵩上げして水平姿勢にする。また、ユニット７０ａ、７０ｃは、水平姿勢となり、且つ、ユニット７０ｂの高さに揃う様に必要な嵩上げを行う。
図１２の場合には、ユニット７０ａでは、支柱７１ａを嵩上げするライナープレート７７の数が多く、支柱７１ｂを嵩上げするライナープレート７７の数が少なく、支柱７１ｂに対して支柱７１ａの方が嵩上げ量が多い。
この様に、支柱７１ａ、７１ｂを適宜嵩上げすることにより、ユニット７０ａ、７０ｂ、７０ｃが傾斜することを防止でき、梁部材７２ａ〜７２ｃの水平姿勢が保たれると共に、各ユニット７０ａ、７０ｂ、７０ｃの高さが揃う。
【００１２】
また、これにより、ユニット７０ａと７０ｂ、及びユニット７０ｂと７０ｃをつなぐ梁部材７３ａ〜７３ｃも水平姿勢となる。
【００１３】
しかし、新設の設備に手摺を設置する場合には、設置面７６に不陸（凹凸）がほとんどなく、この様な高さ調整方法で差し支えがないが、既設の設備に設置する場合には、設置面７６に多数の凹凸がある場合が多く、手摺７５が長い場合（すなわち、橋長が長く、多数のユニット７０（７０ａ等）を直線状に配置する場合）には非常に多くの支柱７１ａ、７１ｂの高さ調整作業が必要になる。すなわち、各ユニット７０ａ〜７０ｃの梁部材７２ａ〜７２ｃとユニット７０同士（７０ａと７０ｂ等）をつなぐ梁部材７３ａ〜７３ｃの高さが揃う様に、多数のユニット７０（７０ａ等）の支柱７１ａ、７１ｂの高さを調整する必要がある。
よって、従来は支柱の高さ調整作業が非常に煩雑であり、この煩雑な高さ調整作業を実施しなければ、梁部材同士を直線状に横並びさせることができなかった。
【００１４】
そこで本発明は、容易に梁部材同士を真っ直ぐに横並びさせることができる橋梁用の手摺又は防護柵を提供することを目的としている。
【課題を解決するための手段】
【００１５】
上記課題を解決するための請求項１に記載の発明は、所定の間隔で立設した支柱と、当該支柱同士を連結する梁部材とを有する橋梁用の手摺又は防護柵であって、前記梁部材は筒状であり、梁部材の内部に配置される内部固定部材を有し、前記内部固定部材が、隣接する梁部材の双方の内部に配置されて両梁部材が連結されており、前記支柱には、鉛直方向に延びる長孔又はスリットが設けられており、前記長孔又はスリットに挿通されて支柱と係合すると共に、前記内部固定部材と螺合するねじ部材を有することを特徴とする橋梁用の手摺又は防護柵である。
【００１６】
請求項１に記載の発明では、梁部材は筒状であり、内部固定部材が、隣接する梁部材の双方の内部に配置されて両梁部材が連結されている。そのため、梁部材が内部固定部材によって半径方向への移動が制限される。すなわち、隣接する両梁部材の端部の高さ位置が揃う。
また、支柱には、鉛直方向に延びる長孔又はスリットが設けられており、長孔又はスリットに挿通されて支柱と係合すると共に、内部固定部材と螺合するねじ部材を有するので、ねじ部材をねじ込むことにより、梁部材が内部固定部材と支柱に挟持される。すなわち、梁部材が支柱に固定される。
さらに、ねじ部材は長孔の範囲で移動することができる。よって、支柱に対する梁部材の高さ位置を長孔の範囲で任意に設定し、梁部材を支柱に固定することができる。すなわち、梁部材の高さ調整が容易である。特に、支柱及び梁部材の数が多くなるほど、梁部材の高さ調整作業は煩雑になるが、本発明によると、支柱の長孔又はスリットに対するねじ部材の取付位置を調整することにより、容易且つ速やかに梁部材の高さを調整することができる。
【００１７】
請求項２に記載の発明は、前記内部固定部材が円筒状であることを特徴とする請求項１に記載の橋梁用の手摺又は防護柵である。
【００１８】
請求項２に記載の発明では、内部固定部材は円筒状であるので曲げ剛性が高い。そのため、変形しにくく、隣接する両梁部材の端部の高さが揃い易い。
【００１９】
請求項３に記載の発明は、前記長孔又はスリットが、起立した支柱の同じ高さ位置に水平方向に間隔をおいて設けられており、隣接する各梁部材の端部が、それぞれ支柱の前記各長孔又は各スリットに位置合わせされてねじ部材で支柱に固定されていることを特徴とする請求項１又は２に記載の橋梁用の手摺又は防護柵である。
【００２０】
請求項３に記載の発明では、長孔又はスリットが、起立した支柱の同じ高さ位置に水平方向に間隔をおいて設けられており、隣接する各梁部材の端部が、それぞれ支柱の各長孔又は各スリットに位置合わせされてねじで支柱に固定されているので、各梁部材の端部の高さを容易に揃えることができる。よって、梁部材を水平姿勢を維持した状態で固定し易い。
【発明の効果】
【００２１】
本発明の橋梁用の手摺又は防護柵は、梁部材の高さを支柱に設けた長孔又はスリットの範囲で容易に揃えることができ、梁部材を容易に水平姿勢にすることができる。
【図面の簡単な説明】
【００２２】
【図１】（ａ）は、本実施形態に係る手摺の主要部を示す斜視図であり、（ｂ）は、（ａ）とは異なる方向から見た手摺の主要部の斜視図であり、支柱と梁部材を描写の都合上離間させている。
【図２】図１（ａ）に示す手摺の分解斜視図である。
【図３】図１（ｂ）に示す手摺の分解斜視図である。
【図４】（ａ）は、梁部材が支柱に対して最も高い位置に固定されている状態を示す斜視図であり、（ｂ）は、（ａ）とは異なる方向から見た斜視図であり、支柱と梁部材を描写の都合上離間させている。
【図５】設置高さが相違する二つの支柱が、上部、中間部、下部の水平姿勢の各梁部材によって接続されている状態を示す斜視図である。
【図６】図５のＡ−Ａ断面図であり、（ａ）は、支柱に梁部材を固定していない状態を示し、（ｂ）は、支柱に梁部材を固定した状態を示す断面図である。
【図７】（ａ）は、図５のＢ−Ｂ断面図であり、（ｂ）は、（ａ）のＣ部拡大図であり、（ｃ）は（ａ）のＤ部拡大図である。
【図８】（ａ）は、本実施形態に係る手摺の平面図であり、（ｂ）は、（ａ）の手摺の正面図であり、（ｃ）は、（ａ）のＥ−Ｅ矢視図であって支柱の上端部分を破断して示しており、（ｄ）は、（ａ）のＦ−Ｆ矢視図であって支柱の上端部分を破断して示している。
【図９】（ａ）は、従来の手摺の正面図であり、（ｂ）は、（ａ）の手摺を分解して示す正面図である。
【図１０】図９の手摺を、凹凸のある設置面に設置した状態を示す正面図である。
【図１１】特許文献１に開示された手摺の正面図である。
【図１２】図１０の手摺において、低い設置位置に配された支柱ほど多くのライナープレートで嵩上げし、梁部材を水平姿勢にした状態を示す手摺の正面図である。
【発明を実施するための形態】
【００２３】
以下、図面を参照しながら説明する。
橋梁用の手摺１は、図１（ａ）、図１（ｂ）に示す支柱２及び梁部材３ａ〜３ｃを、図８（ａ）、図８（ｂ）に示す様に複数組み合わせた構造を有している。
図２、図３に示す様に、支柱２は起立したＨ型鋼で構成されている。すなわち、支柱２は、二つの平行なフランジと、両フランジと直交するウェブとを有している。一方側のフランジは、取付面２ａを構成している。図３に示す様に取付面２ａには、六つの同様の大きさ及び形状の長孔８ａ〜８ｃ、９ａ〜９ｃが設けられている。長孔８ａ〜８ｃ、９ａ〜９ｃは、高さ方向にのびている。長孔８ａと長孔９ａは、同じ高さ位置に互いに所定の間隔をおいて水平方向に並んでいる。
【００２４】
長孔８ａ、長孔９ａのそれぞれの真下には、高さ方向に所定の間隔をおいて別の長孔８ｂ、長孔９ｂが設けられている。また、長孔８ｂ、長孔９ｂの間隔は、長孔８ａ、長孔９ａの間隔と同じである。さらに、長孔８ｂ、長孔９ｂの真下には、長孔８ｃ、長孔９ｃが設けられている。すなわち、長孔８ａ、８ｂ、８ｃは、高さ方向に一列に並んでおり、同様に長孔９ａ、９ｂ、９ｃも高さ方向に一列に並んでいる。
【００２５】
すなわち、支柱２には、長孔８ａと長孔９ａが上部に設けられており、長孔８ｂと長孔９ｂが中間部に設けられており、長孔８ｃと長孔９ｃが下部に設けられている。
【００２６】
支柱２の下端には、ベースプレート１０が溶接等によって一体化されている。ベースプレート１０は、手摺１を設置場所に設置する際の固定部として機能する。
【００２７】
次に梁部材３ａ〜３ｃについて説明する。
梁部材３ａ〜３ｃは、同じ長さを有し、支柱２のそれぞれ上部（長孔８ａと長孔９ａの高さ位置）、中間部（長孔８ｂと長孔９ｂの高さ位置）、下部（長孔８ｃと長孔９ｃの高さ位置）に取付けられている。すなわち、梁部材３ａ〜３ｃは、上下に平行に配置されている。梁部材３ａ〜３ｃは、それぞれ相違する大きさ、断面形状であってもよいが、ここでは同様の構造である場合について説明する。
【００２８】
図１〜図５に示す様に、支柱２の上部に配された梁部材３ａは、鋼管で構成された円筒状の部材である。
図２に示す様に、梁部材３ａの両端付近の側面（曲面）には、それぞれ孔１５ａ、１５ｂが設けられている。孔１５ａ、１５ｂは貫通孔であり、梁部材３ａの中心角の同一角度位置に設けられている。図２では、紙面の都合上、梁部材３ａの長さ方向の中央部分の描写を省略している。
【００２９】
梁部材３ａの内部には、図２、図３に示す内筒部材４ａ（内部固定部材）が配置されている。すなわち、内筒部材４ａの外径は、梁部材３ａの内径よりも小さい。そのため、内筒部材４ａは、梁部材３ａの内部に円滑に配置することができる。
【００３０】
内筒部材４ａには、二つのねじ孔１８ａ、１８ｂが設けられている。ねじ孔１８ａ、１８ｂは、内筒部材４ａの長手方向に離間して配置されている。ねじ孔１８ａ、１８ｂの間隔は、隣接する二つの梁部材３ａの端部同士が当接した際における、一方の梁部材３ａの孔１５ａと他方の梁部材３ａの孔１５ｂの間隔と同じである。また、ねじ孔１８ａ、１８ｂの間隔は、支柱２の長孔８ａと長孔９ａの間隔と同じである。
【００３１】
支柱２と梁部材３ａの間には、図２、図３に示す介在部材５ａが配置されている。介在部材５ａは薄板状の部材であり、一方側の面が凹状の曲面１１ａを構成しており、他方側の面が平面状の平坦面１４ａを構成している。曲面１１ａは、梁部材３ａの外周面に沿う凹面である。
【００３２】
また、介在部材５ａの両側には、それぞれ凹部１２ａ、凹部１３ａが設けられている。凹部１２ａ及び凹部１３ａは、同様の大きさの半円形状のくぼみであり、同じ高さ位置に設けられている。両凹部１２ａ、１３ａの間隔は、支柱２の長孔８ａ、長孔９ａの間隔と同じである。
【００３３】
次に、手摺１の各部材の組み立て構造について説明する。
一つの支柱２には、隣接する一方の梁部材３ａの一つの端部と、他方の梁部材３ａの一つの端部とが着脱可能に固定されている。すなわち、図２、図３に示す二つの梁部材３ａの内部には内筒部材４ａが跨がるように配置されていると共に、図７（ａ）〜図７（ｃ）に示す様に、内筒部材４ａのねじ孔１８ａと一方の梁部材３ａの孔１５ａが一致しており、内筒部材４ａのねじ孔１８ｂと他方の梁部材３ａの孔１５ｂが一致している。
【００３４】
また、一方の梁部材３ａの孔１５ａ及び内筒部材４ａのねじ孔１８ａは、支柱２の長孔８ａ及び介在部材５ａの凹部１２ａと一致しており、ボルト６ａ（ねじ部材）が、長孔８ａと凹部１２ａと孔１５ａを挿通していると共に、ねじ孔１８ａに螺合している。また、ボルト６ａの頭部は、支柱２と係合している。すなわち、一方の梁部材３ａは、ボルト６ａによって支柱２に固定されている。
【００３５】
さらに、他方の梁部材３ａの孔１５ｂ及び内筒部材４ａのねじ孔１８ｂは、支柱２の長孔９ａ及び介在部材５ａの凹部１３ａと一致しており、ボルト７ａ（ねじ部材）が、長孔９ａと凹部１３ａと孔１５ｂを挿通していると共に、ねじ孔１８ｂに螺合している。ボルト７ａの頭部は、支柱２と係合している。すなわち、他方の梁部材３ａは、ボルト７ａによって支柱２に固定されている。
【００３６】
両梁部材３ａの端部同士は当接しており、両梁部材３ａと支柱２の間には介在部材５ａが配置されている。両梁部材３ａの外周面には介在部材５ａの曲面１１ａが当接している。曲面１１ａは、両梁部材３ａの外周面に沿う凹面である。また、介在部材５ａの平坦面１４ａは、支柱２の取付面２ａに当接している。すなわち、円筒状の両梁部材３ａの支柱２に対する固定は安定している。
【００３７】
梁部材３ａが支柱２に固定される状態を、図６（ａ）、図６（ｂ）を参照しながら説明する。図６（ａ）に示す様に、梁部材３ａの内部に内筒部材４ａが配置されており、内筒部材４ａの外径は梁部材３ａの内径よりも小さく、両者の間には隙間（遊び）がある。
ボルト６ａが、支柱２の長孔８ａ、介在部材５ａの凹部１２ａ、梁部材３ａの孔１５ａを貫通し、内筒部材４ａのねじ孔１８ａに螺合している。図６（ａ）に示す状態では、ボルト６ａの先端部分のみが内筒部材４ａのねじ孔１８ａに螺合している。すなわち、梁部材３ａは、ボルト６ａの長手方向に沿って梁部材３ａの内周面と内筒部材４ａの外周面の間に形成された隙間（遊び）の範囲で移動することができ、支柱２に固定されていない。
【００３８】
そこで、図６（ｂ）に示す様に、ボルト６ａの頭部が支柱２のフランジに当接した状態でボルト６ａを締め付けると、内筒部材４ａが支柱２側へ移動し、内筒部材４ａの外周面と梁部材３ａの内周面とが当接する。すなわち、ボルト６ａの長手方向に沿った梁部材３ａの内周面と内筒部材４ａの外周面の間の隙間（遊び）がなくなり、梁部材３ａは内筒部材４ａと支柱２（介在部材５ａ）の間で挟持され、梁部材３ａは支柱２に固定される。
【００３９】
ここで、内筒部材４ａは、梁部材３ａの内部に配置可能であればよく、梁部材３ａの内径と内筒部材４ａの外径とが略一致していて、両者の間に隙間（遊び）がほとんど存在しなくても差し支えはない。また、隙間が小さくなるほど、内筒部材４ａによる両梁部材３ａの接続部分の真直度を保ち易い。
【００４０】
ボルト７ａによる他方の梁部材３ａの固定も同様であり、重複する説明は省略する。
内筒部材４ａは、双方の梁部材３ａの内部に跨がって配されており、両梁部材３ａと内筒部材４ａがボルト６ａ、７ａによって支柱２に固定されているため、両梁部材３ａは、互いに離間することがない。また、内筒部材４ａは長手方向に真っ直ぐにのびており、両梁部材３ａの姿勢が、内筒部材４ａによって、真っ直ぐに矯正される。さらに、ボルト６ａ、７ａは水平方向に並んでいるため、支柱２にボルト６ａ、７ａで固定された内筒部材４ａは水平姿勢となる。そのため、共通の内筒部材４ａを半分ずつ内包して隣接する両梁部材３ａは、水平姿勢で支柱２に固定されている。換言すると、ボルト６ａ、７ａと内筒部材４ａによって、隣接する二つの梁部材３ａが共通の支柱２に水平姿勢で固定されている。すなわち、内筒部材４ａは剛性を有し、梁部材３ａの内部で梁部材３ａに沿ってのびる長さを有しており、支柱２に対して二つの梁部材３ａを固定すると共に、各梁部材３ａ同士は直線状に連結され、各梁部材３ａが直線状に並んだ状態が維持されている。
【００４１】
以上では、一つの支柱２に着目して当該支柱２に二つの梁部材３ａが固定されている状態を説明した。次に、一つ（一方）の梁部材３ａに着目して説明する。梁部材３ａは、所定の間隔を置いて設置面４０（図８（ｂ））上に立設された支柱２同士を連結している。
梁部材３ａの両端付近には、それぞれ孔１５ａ、１５ｂがあり、図７（ａ）、図８（ａ）、図８（ｂ）に示す様に、梁部材３ａは二つの支柱２に固定されている。梁部材３ａの孔１５ａ、１５ｂは、一方の支柱２の長孔８ａ及び他方の支柱２の長孔９ａと一致しており、梁部材３ａは、前述の様にボルト６ａ、７ａによって二つの支柱２に固定されている。
【００４２】
手摺１の基本構成は以上説明した通りであり、支柱２に対して梁部材３ａは着脱が可能に取り付けられている。
ここで、支柱２の設置高さが相違することがある。すなわち、図８（ｂ）に示す様に、設置面４０に不陸（凹凸）があると、図５に示す様に、一方の支柱２の高さと他方の支柱２の高さが相違してしまう。図５に示す例では、支柱２Ａの設置高さと支柱２Ｂの設置高さには高低差ｈがある。本実施形態では、この様な場合においても梁部材３ａを水平姿勢にすることができる。
【００４３】
すなわち、支柱２Ａと支柱２Ｂでは、長孔８ａ、９ａに対するボルト６ａ、７ａの取付け位置（高さ）が相違している。支柱２Ａに梁部材３ａを固定するボルト６ａは、長孔８ａの最も高い位置にあり、支柱２Ｂに梁部材３ａを固定するボルト７ａは、長孔９ａの高さ方向の中央付近にある。すなわち、支柱２Ａの長孔８ａに対するボルト６ａの取付け高さと、支柱２Ｂの長孔９ａに対するボルト７ａの取付け高さに、高低差ｈ分だけの差異を設ける。これにより梁部材３ａにおける、支柱２Ａに固定される部位（端部）の高さ位置と、支柱２Ｂに固定される部位（端部）の高さ位置とが揃い、梁部材３ａは水平姿勢となる。
【００４４】
各支柱２の設置高さが相違するため、図８（ｃ）、図８（ｄ）に示す様に、梁部材３ａを固定するボルト６ａ、７ａの長孔８ａ、９ａに対する取り付け高さは様々である。図８（ｃ）では、梁部材３ａは、設置面４０における高さが高い位置にある支柱２に取り付けられている場合を示しており、ボルト６ａ、７ａは、長孔８ａ、９ａの最も下方の位置にある。そのため、梁部材３ａは、当該支柱２に対して下寄りの位置にあり、支柱２の上端部分が梁部材３ａよりも上方に突出している。
【００４５】
一方、図８（ｄ）では、梁部材３ａは、設置面４０における高さが低い位置にある支柱２に取り付けられている場合を示しており、ボルト７ａは、長孔９ａの最も上方の位置にある。そのため、梁部材３ａは、当該支柱２に対して上寄りの位置にあり、支柱２の上端部分は梁部材３ａの高さ位置と略揃っている。
【００４６】
この様に、支柱２Ａ、２Ｂは、長孔８ａ、９ａで高低差ｈを吸収し、梁部材３ａが水平状態となる様に支持することができる。すなわち、長孔８ａ、９ａに対するボルト６ａ、７ａの高さ位置を調整し、梁部材３ａを水平姿勢にすることができる。図８（ｂ）では、複数の支柱２が凹凸（起伏）のある設置面４０上に立設された状態が示されている。この設置面４０の凹凸の高低差が、長孔８ａ、９ａの長さの範囲内であれば、各梁部材３ａを同一高さで水平姿勢で一直線に横並びする様に配置することができる。すなわち、梁部材３ａの端部を、長孔８ａ、９ａの所定の高さ位置に位置合わせした状態で、ボルト６ａ、７ａを介して、梁部材３ａが支柱２に固定されている。この各梁部材３ａの各支柱２に対する取り付け高さの調整は、設置面４０上で容易に実施することができる。
【００４７】
すなわち、支柱２に対する各梁部材３ａの高さ位置は、ボルト６ａ、７ａの長孔８ａ、９ａに対する高さ位置を変更することで容易に調整することができる。そのため、各梁部材３ａを個々に水平状態にすることができるのみならず、各梁部材３ａ同士が一直線上に並ぶ様に配置することもできる。その結果、手摺１の美観は極めて良好なものとなる。
【００４８】
以上、梁部材３ａについて説明したが、支柱２の中間部及び下部に配された梁部材３ｂ、３ｂについても、梁部材３ａと同様に高さ位置を調整することができる。
梁部材３ｂ、３ｃは、梁部材３ａと同様の構造を有しており、同様の構成には、同じ数字とアルファベット「ｂ」又は「ｃ」を付した。すなわち、中間部に配される梁部材３ｂの構成には、梁部材３ａと同じ数字とアルファベットの「ｂ」を組み合わせて示し、下部に配される梁部材３ｃの構成には、梁部材３ａと同じ数字とアルファベットの「ｃ」を組み合わせて示した。具体的には、梁部材３ｂ、３ｃ内に配される内筒部材にはそれぞれ符号４ｂ、４ｃを付している。
また、梁部材３ｂ、３ｃの構造は梁部材３ａと同様であり、重複する説明は省略する。
【００４９】
図１〜図５に示す様に、梁部材３ｂ、３ｃは梁部材３ａと同様の構成を有しており、それぞれ支柱２の中間部又は下部に取り付けられている。
ボルト６ｂ、７ｂが、それぞれ支柱２の長孔８ｂ、９ｂ、介在部材５ｂの凹部１２ｂ、１３ｂ、梁部材３ｂの孔１６ａ、１６ｂを挿通し、さらにねじ孔１９ａ、１９ｂと螺合しており、梁部材３ｂは支柱２に固定されている。また、ボルト６ｂ、７ｂの頭部は、支柱２と係合している。同様に、ボルト６ｃ、７ｃが、それぞれ支柱２の長孔８ｃ、９ｃ、介在部材５ｃの凹部１２ｃ、１３ｃ、梁部材３ｃの孔１７ａ、１７ｂを挿通し、さらにねじ孔２０ａ、２０ｂと螺合しており、梁部材３ｃは支柱２に固定されている。また、ボルト６ｃ、７ｃの頭部は、支柱２と係合している。
【００５０】
支柱２に対する梁部材３ｂ、３ｃの取付け高さの調整は、梁部材３ａと同様に実施することができる。その結果、図８（ｂ）に示す様に、支柱２の上部、中間部、及び下部において、それぞれ梁部材３ａ〜３ｃの高さ位置が揃う。そして、複数の梁部材３ａ〜３ｃが、それぞれ三本の直線を描いてのびており、手摺１の美観は極めて良好なものとなる。
【００５１】
また、支柱２の設置高さを従来の様にライナープレートで調整するだけでは、各梁部材３ａ、３ｂ、３ｃのそれぞれの相対的な高さ位置は変化せず、個々の梁部材３ａ、３ｂ、３ｃの高さ位置を微調整することができない。しかし、本実施形態の手摺１では、個々の梁部材３ａ、３ｂ、３ｃの高さ位置は、それぞれ長孔８ａ、９ａの範囲内で容易且つ速やかに調整することができる。
【００５２】
図４では、支柱２に対する梁部材３ａ、３ｂ、３ｃの取付け高さの組み合わせが、図５に示すいずれの支柱２とも相違している状態を示している。この様に、各梁部材３ａ、３ｂ、３ｃが水平姿勢になることを前提に、各梁部材３ａ、３ｂ、３ｃの高さ方向の相対的な位置関係を変更することも可能である。
【００５３】
以上説明した支柱２の長孔８ａ〜８ｃ、９ａ〜９ｃは、鉛直方向に任意の長さに設定することができる。また、長孔８ａ〜８ｃ、又は長孔９ａ〜９ｃは、鉛直方向につながっていてもよい。すなわち、支柱２の取付面２ａに、長孔８ａ（９ａ）の位置から長孔８ｃ（９ｃ）の位置まで上下方向にのびる長孔を設けてもよい。この様にすると、梁部材３ａ、３ｂ、３ｃの上下の間隔を任意に設定することができるようになる。また、本実施形態では、三つの梁部材３ａ〜３ｃを上部、中間部、下部に設ける例を示したが、梁部材の上下方向の数は任意に設定することができる。
【００５４】
また、長孔８ａ〜８ｃ、９ａ〜９ｃの代わりに、鉛直方向にのびる部位と当該鉛直方向と交差する方向に延びる部位を有するスリットを支柱２に設けてもよい。
【００５５】
さらに、梁部材３ａ〜３ｃは、円筒状のもの以外に角筒状であっても差し支えない。また、内筒部材４ａ〜４ｃは、必ずしも筒状（中空）である必要はなく、中実の部材であってもよい。内筒部材４ａ〜４ｃを中実とした場合、ねじ孔１８ａ、１８ｂの代わりに、ボルト６ａ〜６ｃ、７ａ〜７ｃが螺合できる有底のねじ穴を設けるのが好ましい。
【００５６】
また、内筒部材４ａ〜４ｃの横断面は、梁部材３ａ〜３ｃの横断面と相似形である必要はなく、内筒部材４ａ〜４ｃは、梁部材３ａ〜３ｃ内に配置することができる大きさ及び形状であればよい。例えば、四角筒状の梁部材の内部に、円筒状の内筒部材を配置してもよい。
【００５７】
本実施形態では、手摺１について説明したが、手摺１以外に、支柱２、梁部材３ａ〜３ｃ等で防護柵を構成することも可能である。
【符号の説明】
【００５８】
１    手摺
２    支柱
３ａ〜３ｃ  梁部材
４ａ〜４ｃ  内筒部材（内部固定部材）
６ａ〜６ｃ  ボルト（ねじ部材）
７ａ〜７ｃ  ボルト（ねじ部材）
８ａ〜８ｃ  長孔
９ａ〜９ｃ  長孔
【図１】
2019044346.tif 000003
【図２】
2019044346.tif 000004
【図３】
2019044346.tif 000005
【図４】
2019044346.tif 000006
【図５】
2019044346.tif 000007
【図６】
2019044346.tif 000008
【図７】
2019044346.tif 000009
【図８】
2019044346.tif 000010
【図９】
2019044346.tif 000011
【図１０】
2019044346.tif 000012
【図１１】
2019044346.tif 000013
【図１２】
2019044346.tif 000014